(57)【要約】【課題】子供用手押し車の仕組みを簡単化し、折畳み後の体積を小さくする。【解決手段】前輪ブラケット４と、この前輪ブラケット４の左右側面に設けられ、後輪ブラケット５と下部ハンドルバー６を備える一対の側ブラケット１８とを備える車体１と、前輪モジュール２と、後輪モジュール３とを備え、後輪ブラケット５の上端が前輪ブラケット４の後端に対して回転可能に連接し、下部ハンドルバー６の下端が前輪ブラケット４の後端に対して回転可能に連接する。そして、前輪ブラケット４の前後方向に沿って滑動可能に前輪ブラケット４に設けられたスライダ８と、後端が下部ハンドルバー６に対して回転可能に連接し、前端がスライダ８に対して回転可能に連接する上部連接棒１０と、後端が後輪ブラケット５に対して回転可能に連接し、前端がスライダ８に対して回転可能に連接する下部連接棒１１とを備える側ブラケット１８と、を設けた。【選択図】図１
2009526679.tif 000002
【特許請求の範囲】
【請求項１】
前輪ブラケットと、該前輪ブラケットの左右側面に設けられ、後輪ブラケットと下部ハンドルバーとを備える一対の側ブラケットとを備える車体と、
前記前輪ブラケットに設けられた前輪モジュールと、
前記後輪ブラケットに設けられた後輪モジュールを備え、
前記後輪ブラケットの上端が前記前輪ブラケットの後端に対して回転可能に連接し、
前記下部ハンドルバーの下端が前記前輪ブラケットの後端に対して回転可能に連接する子供用手押し車において、
前記前輪ブラケットの前後方向に沿って滑動し得るように前記前輪ブラケットに設けられたスライダと、
後端が前記下部ハンドルバーに対して回転可能に連接し、かつ前端が前記スライダに対して回転可能に連接する上部連接棒と、後端が前記後輪ブラケットに対して回転可能に連接し、前端が前記スライダに対して回転可能に連接する下部連接棒とを備えた側ブラケットと、を設けたことを特徴とする子供用手押し車。
【請求項２】
それぞれ相応側の前記上部連接棒に対して回転可能に連接する一対の座席支柱連接部材と、
前記座席支柱連接部材に対して滑動可能に連接し、かつ後端が前記前輪ブラケットの後端に対して回転可能に連接する座席支柱と、
前記座席支柱に設けられる座席と、を備えることを特徴とする請求項１に記載の子供用手押し車。
【請求項３】
前記下部ハンドルバーには、上部ハンドルバーが回転可能に取付けられ、該上部ハンドルバーは、車体の展開時に、前記下部ハンドルバーに対してロックされることを特徴とする請求項１に記載の子供用手押し車。
【請求項４】
前記側ブラケットに設けられた一対の前記下部ハンドルバーの間に折り畳み可能に設けられる後支柱を備え、該後支柱の二つの外端部がそれぞれ相応側の前記下部ハンドルバーに対して回転可能に連接することを特徴とする請求項１に記載の子供用手押し車。
【請求項５】
前記前輪ブラケットの後端に設けられた第一回転止め部材を備え、車体の展開時に、前記後輪ブラケットが前記第一回転止め部材に当接して固定されることを特徴とする請求項１に記載の子供用手押し車。
【請求項６】
前記前輪ブラケットの後端に設けられた第二回転止め部材を備え、車体の展開時に、前記下部ハンドルバーが前記第二回転止め部材に当接して固定されることを特徴とする請求項１に記載の子供用手押し車。
【請求項７】
前記前輪ブラケットの後部には、両側へ横向きに延びる第一延伸部材が取付けられており、
左右一対の前記下部ハンドルバーの下端がそれぞれ相応側の前記第一延伸部材に対して回転可能に連接し、
左右一対の前記後輪ブラケットの上端がそれぞれ相応側の前記第一延伸部材に対して回転可能に連接することを特徴とする請求項１に記載の子供用手押し車。
【請求項８】
前記スライダには、両側へ横向きに延びる第二延伸部材が取付けられており、
左右一対の前記上部連接棒の下端がそれぞれ相応側の前記第二延伸部材に対して回転可能に連接し、
左右一対の前記下部連接棒の上端がそれぞれ相応側の前記第二延伸部材に対して回転可能に連接することを特徴とする請求項１に記載の子供用手押し車。
【発明の詳細な説明】
【技術分野】
【０００１】
本発明は子供あるいは幼児が乗る子供用手押し車に関するものである。
【背景技術】
【０００２】
特許文献１には、前輪ブラケットとこの前輪ブラケットの左右側面に設けられる一対の側（サイド）ブラケットとを備える車体と、前輪モジュールと、後輪モジュールとを備える子供用手押し車が示されている。前記車体は後輪ブラケットと下部ハンドルバーとを備え、前輪モジュールが前輪ブラケットに設けられ、後輪モジュールが後輪ブラケットに設けられる。
【０００３】
従来のものは、車体を小さく折り畳むことができ、車全体の運搬が便利になるように、前輪ブラケットと、後輪ブラケットと、下部ハンドルバーとが折り畳みできるように設けられ、同時に両側の側ブラケットが相対的に折り畳みできるように設けられる。
【０００４】
さらに、手押し車を折り畳めるように、車体に駆動のための機構を備え、利用者はこの機構を通じて、前輪ブラケットと後輪ブラケットと下部ハンドルバーとを折り畳むと同時に両側の側ブラケットを相対的に折り畳むことができる。上述の機構があるので、手押し車の構造と折り畳み操作が複雑になる。
【特許文献１】国際公開第２００４／０９７２８２号パンフレット
【発明の開示】
【発明が解決しようとする課題】
【０００５】
本発明は、上記事情に鑑みて、仕組みが簡単であって、折畳み後の体積を小さくできる子供用手押し車の提供を目的とする。
【課題を解決するための手段】
【０００６】
本発明によれば上記目的は、前輪ブラケットと、該前輪ブラケットの左右側面に設けられ、後輪ブラケットと下部ハンドルバーとを備える一対の側ブラケットとを備える車体と、前記前輪ブラケットに設けられた前輪モジュールと、前記後輪ブラケットに設けられた後輪モジュールとを備え、前記後輪ブラケットの上端が前記前輪ブラケットの後端に対して回転可能に連接し、前記下部ハンドルバーの下端が前記前輪ブラケットの後端に対して回転可能に連接する子供用手押し車において、前記前輪ブラケットの前後方向に沿って滑動し得るように前記前輪ブラケットに設けられたスライダと、後端が前記下部ハンドルバーに対して回転可能に連接し、かつ前端が前記スライダに対して回転可能に連接する上部連接棒と、後端が前記後輪ブラケットに対して回転可能に連接し、前端が前記スライダに対して回転可能に連接する下部連接棒とを備えた側ブラケットと、を設けたことを特徴とする子供用手押し車、により達成される。
【発明の効果】
【０００７】
車体を折り畳む時にはただスライダを前輪ブラケットに沿って前へ滑らせ、上部連接棒と下部連接棒の移動に伴い、下部ハンドルバーと後輪ブラケットを前輪ブラケットに対して折り畳めるので、仕組みが簡単であり、そして車体を非常に小さく折畳むことができる。
【発明を実施するための最良の形態】
【０００８】
図１は本発明に係る子供用手押し車を展開して示す斜視図、図２は本発明に係る子供用手押し車を折り畳み途中の状態で示す正視図、図３は本発明に係る子供用手押し車を折り畳んだ状態で示す正視図である。
【０００９】
まず手押し車全体は図１に示すように、車体１と前輪モジュール２と後輪モジュール３とを備えている。車体１は前輪ブラケット４と、この前輪ブラケット４の左右側面に設けられる一対の側（サイド）ブラケット１８とを備えている。この側ブラケット１８はそれぞれ相応側の下端に設けられる後輪ブラケット５と、下端に設けられる下部ハンドルバー６とを備えている。前輪モジュール２は前輪ブラケット４の前端に設けられる。また後輪モジュール３は後輪ブラケット５の下端に設けられる。
【００１０】
図１〜３に示すように、前記前輪ブラケット４には、スライダ８が前後方向に沿ってスライド可能に設けられる。
【００１１】
後輪ブラケット５の上端が前輪ブラケット４の後端と回転可能に連接して、下部ハンドルバー６の下端が前輪ブラケット４の後端と回転可能に連接している。
【００１２】
また、側ブラケット１８は上部連接棒１０と下部連接棒１１を備える。上部連接棒１０の後端が下部ハンドルバー６と回転可能に連接して、その前端がスライダ８と回転可能に連接する。そして下部連接棒１１の後端が後輪ブラケット５と回転可能に連接して、その前端がスライダ８と回転可能に連接している。
【００１３】
それぞれの上部連接棒１０には、座席支柱連接部材１６が回転可能に取付けられていて、この座席支柱連接部材１６には、座席支柱１３が滑動可能に取付けられていて、この座席支柱１３の後端が前記前輪ブラケット４の後端にて回転可能に連接する。前記座席支柱１３には座席が取付けられる。
【００１４】
前記下部ハンドルバー６には、上部ハンドルバー７が回転可能に取付けられていて、そしてロック溝１５を備える上部ハンドルバー連接部材１４が取付けられているため、車体１を展開する時に、図１から明らかなように、上部ハンドルバー７をロック溝１５に挿入して、下部ハンドルバー６に対してロックすることができる。このように展開される車体１の高さは、利用者が手押し車を便利に押すことができる高さとなる。
【００１５】
なお、前記上部ハンドルバー７を下方へと回転すれば、車体１全体がさらに小さい体積となるように折り畳むことができる。
【００１６】
また、前記上部ハンドルバー７については、これを下部ハンドルバー６に対して回転可能とする代わりに、スライド機構により滑動できるように設けても構わない。
【００１７】
子供用手押し車を展開する時に車体１をさらに安定にするため、前記した一対の下部ハンドルバー６の間には、後支柱１２が折り畳みできるように取付けられている。後支柱１２の二つの外端部はそれぞれ相応側の下部ハンドルバー６と回転可能に連接している。
【００１８】
前記前輪ブラケット４の後端には、第一回転止め部材１９と第二回転止め部材２０が取付けられているので、車体１を展開する時に、後輪ブラケット５が前記第一回転止め部材１９に当接して突っ張り、また下部ハンドルバー６が前記第二回転止め部材１９に当接して突っ張る。こうして、手押し車を展開させる機構が固定的となる。
【００１９】
前輪ブラケット４の後部には、両側へ横向きに延びる一対の第一延伸部材２３が取付けられており、それぞれの第一延伸部材２３には前記第一回転止め部材１９と第二回転止め部材２０が取付けられている。
【００２０】
左右一対の下部ハンドルバー６の下端がそれぞれ相応側の第一延伸部材２３と回転可能に連接し、左右一対の後輪ブラケット５の上端がそれぞれ相応側の第一延伸部材２３と回転可能に連接する。
【００２１】
前記スライダ８には、両側へ横向きに延びる一対の第二延伸部材２４が取付けられ、左右一対の上部連接棒１０の下端がそれぞれ相応側の第二延伸部材２４と回転可能に連接し、左右一対の下部連接棒１１の上端がそれぞれ相応側の第二延伸部材２４と回転可能に連接する。
【図面の簡単な説明】
【００２２】
【図１】本発明に係る子供用手押し車を展開して示す斜視図である。
【図２】本発明に係る子供用手押し車を折り畳み途中の状態で示す正視図である。
【図３】本発明に係る子供用手押し車を折り畳んだ状態で示す正視図である。
【符号の説明】
【００２３】
１  車体
２  前輪モジュール
３  後輪モジュール
４  前輪ブラケット
５  後輪ブラケット
６  下部ハンドルバー
７  上部ハンドルバー
８  スライダ
１０  上部連接棒
１１  下部連接棒
１２  後支柱
１３  座席支柱
１４  上部ハンドルバー連接部材
１５  ロック溝
１６  座席支柱連接部材
１８  側ブラケット
１９  第一回転止め部材
２０  第二回転止め部材
２１  第一回転軸
２２  第二回転軸
２３  第一延伸部材
２４  第二延伸部材
【図１】
2009526679.tif 000003
【図２】
2009526679.tif 000004
【図３】
2009526679.tif 000005
【国際調査報告】
2009526679.tif 000006
2009526679.tif 000007
2009526679.tif 000008
2009526679.tif 000009